【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による無線通信の方法であって、
前記ＵＥによって使用される０本以上のアンテナからなる少なくとも第１のセットから、０本以上のアンテナからなる少なくとも１つの第２のセットへの切替をスケジューリングすることと、ここにおいて、前記第１および第２のセットは、少なくとも１本のアンテナが異なる、
チャネル品質インジケータ（ＣＱＩ）サブフレームセットにおいて基地局で使用するための、前記ＵＥから報告されるべきＣＱＩを、前記スケジューリングされた切替に基づいて決定することと、ここにおいて、前記ＣＱＩサブフレームセットは、前記決定されたＣＱＩが使用されるべきサブフレームのセットを含み、前記ＵＥから報告されるべき前記ＣＱＩは、前記ＣＱＩサブフレームセットの間使用される各アンテナセットについての少なくともＣＱＩの関数として決定される、
前記ＣＱＩを前記基地局に送信することと
を備える方法。
【請求項２】
前記報告されたＣＱＩに対応する前記ＣＱＩサブフレームセットを定義することをさらに備え、前記ＣＱＩサブフレームセットの長さは、前記基地局でのＣＱＩ受信インターバルに対応する、請求項１に記載の方法。
【請求項３】
前記基地局での前記ＣＱＩ受信インターバルは、前記ＵＥから２つの連続したＣＱＩ報告を受信する間の時間期間である、請求項２に記載の方法。
【請求項４】
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、請求項１に記載の方法。
【請求項５】
前記フィードバック時間遅延は、前記基地局への送信時間、前記基地局で前記ＣＱＩを復号するための時間、および、前記基地局で前記ＣＱＩに基づいてレートを調節するための時間を備える、請求項４に記載の方法。
【請求項６】
前記ＵＥは、前記フィードバック時間遅延を、前記ＣＱＩの送信の時間と、前記基地局から受信されたデータの変調およびコード化スキーム（ＭＣＳ）が大幅に変化した時間とに基づいて決定する、請求項４に記載の方法。
【請求項７】
前記ＵＥは、前記フィードバック遅延に対して一定の定数を使用する、請求項４に記載の方法。
【請求項８】
前記ＵＥから報告されるべき前記ＣＱＩは、前記ＣＱＩサブフレームセットの間使用される各アンテナセットについてのＣＱＩと、前記アンテナセットが使用される前記ＣＱＩサブフレームセット内のサブフレームの数との組み合わせの関数として決定される、請求項１に記載の方法。
【請求項９】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、請求項８に記載の方法。
【請求項１０】
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、請求項８に記載の方法。
【請求項１１】
前記基地局で適用されるバックオフを補償するために前記ＣＱＩを調整することをさらに備える、請求項１に記載の方法。
【請求項１２】
前記ＣＱＩを調整することは、
前記第１のセット内のアンテナの数が前記０本以上のアンテナからなる少なくとも１つの第２のセットのものよりも少ない場合、前記ＣＱＩをより高いＣＱＩ値へと調整することを備える、請求項１１に記載の方法。
【請求項１３】
前記ＣＱＩを調整することは、
前記第１のセット内のアンテナの数が前記０本以上のアンテナからなる少なくとも１つの第２のセットのものよりも多い場合、前記ＣＱＩをより低いＣＱＩ値へと調整することを備える、請求項１１に記載の方法。
【請求項１４】
ユーザ機器（ＵＥ）による無線通信の装置であって、
前記ＵＥによって使用される０本以上のアンテナからなる少なくとも第１のセットから０本以上のアンテナからなる少なくとも１つの第２のセットへの切替をスケジューリングするための手段と、ここにおいて、前記第１および第２のセットは、少なくとも１本のアンテナが異なる、
チャネル品質インジケータ（ＣＱＩ）サブフレームセットにおいて基地局で使用するための、前記ＵＥから報告されるべきＣＱＩを、前記スケジューリングされた切替に基づいて決定するための手段と、ここにおいて、前記ＣＱＩサブフレームセットは、前記決定されたＣＱＩが使用されるべきサブフレームのセットを含み、前記ＵＥから報告されるべき前記ＣＱＩは、前記ＣＱＩサブフレームセットの間使用される各アンテナセットについての少なくともＣＱＩの関数として決定される、
前記ＣＱＩを前記基地局に送信するための手段と
を備える装置。
【請求項１５】
請求項１乃至１３のうちのいずれかに従う方法を行うことをコンピュータにさせるためのコードを備えるコンピュータ可読媒体を備える、コンピュータプログラムプロダクト。
【手続補正２】
【補正対象書類名】明細書
【補正対象項目名】００７９
【補正方法】変更
【補正の内容】
【００７９】
[0088]  本開示の先の説明は、当業者が本開示を為すまたは使用することを可能にするために提供される。本開示に対する様々な変更は、当業者には容易に明らかであり、本明細書で定義された包括的な原理は、本開示の精神または有効範囲から逸脱することなく他の変形に適用され得る。従って、本開示は、本明細書で説明された例および設計に限定されることを意図しておらず、本明細書で開示された原理および新規な特徴と合致する最も広い有効範囲が与えられるべきである。
以下に、本願の出願当初の特許請求の範囲に記載された発明を付記する。
[Ｃ１]
ユーザ機器（ＵＥ）による無線通信の方法であって、
前記ＵＥによって使用される０本以上のアンテナからなる少なくとも第１のセットから、０本以上のアンテナからなる少なくとも１つの第２のセットへの切替をスケジューリングすることと、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定することと、
前記ＣＱＩを前記基地局に送信することと
を備える方法。
[Ｃ２]
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成されている前記第１のＲＡＴのための少なくとも１本の追加のアンテナを備える、Ｃ１に記載の方法。
[Ｃ３]
前記第２のセットは、前記第１のセットよりも１本以上少ない数のアンテナを備える、Ｃ１に記載の方法。
[Ｃ４]
前記報告されたＣＱＩに対応する前記ＣＱＩサブフレームセットを定義することをさらに備え、前記ＣＱＩサブフレームセットの長さは、前記基地局でのＣＱＩ受信インターバルに対応する、Ｃ１に記載の方法。
[Ｃ５]
前記基地局での前記ＣＱＩ受信インターバルは、前記ＵＥから２つの連続したＣＱＩ報告を受信する間の時間期間である、Ｃ４に記載の方法。
[Ｃ６]
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、Ｃ１に記載の方法。
[Ｃ７]
前記フィードバック時間遅延は、前記基地局への送信時間、前記基地局で前記ＣＱＩを復号するための時間、および、前記基地局で前記ＣＱＩに基づいてレートを調節するための時間を備える、Ｃ６に記載の方法。
[Ｃ８]
前記ＵＥは、前記フィードバック時間遅延を、前記ＣＱＩの送信の時間と、前記基地局から受信されたデータの変調およびコード化スキーム（ＭＣＳ）が大幅に変化した時間とに基づいて決定する、Ｃ６に記載の方法。
[Ｃ９]
前記ＵＥは、前記フィードバック遅延に対して一定の定数を使用する、Ｃ６に記載の方法。
[Ｃ１０]
前記ＵＥから報告されるべき前記ＣＱＩは、前記ＣＱＩサブフレームセットの間使用される各アンテナセットについてのＣＱＩと、前記アンテナセットが使用される前記ＣＱＩサブフレームセット内のサブフレームの数との関数として決定される、Ｃ１に記載の方法。
[Ｃ１１]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、Ｃ１０に記載の方法。
[Ｃ１２]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、Ｃ１０に記載の方法。
[Ｃ１３]
前記ＵＥから報告されるべき前記ＣＱＩは、前記ＣＱＩサブフレームセットの間使用される各アンテナセットについてのＣＱＩの最小値である、Ｃ１に記載の方法。
[Ｃ１４]
前記ＵＥから報告されるべき前記ＣＱＩは、前記ＣＱＩサブフレームセットの間使用される各アンテナセットについてのＣＱＩの最大値である、Ｃ１に記載の方法。
[Ｃ１５]
前記ＵＥから報告されるべき前記ＣＱＩは、前記ＣＱＩサブフレームセットの間使用される各アンテナセットについてのＣＱＩの平均値である、Ｃ１に記載の方法。
[Ｃ１６]
前記ＣＱＩは、前記ＵＥと前記基地局との間のトラフィックのサービス品質（ＱＯＳ）の関数として決定される、Ｃ１に記載の方法。
[Ｃ１７]
前記ＣＱＩは、以前のＣＱＩ決定からの記憶されたＣＱＩ値を備える、Ｃ１に記載の方法。
[Ｃ１８]
前記ＣＱＩは、以前のＣＱＩ決定からの記憶されたＣＱＩ値およびオフセットを備える、Ｃ１に記載の方法。
[Ｃ１９]
前記ＵＥは、前記ＣＱＩを決定する間の前記ＵＥにおけるアクティブな受信アンテナの数が前記ＣＱＩを決定するのに必要とされるものとは異なる場合、アンテナのサブセットのための、記憶されたチャネル推定値または記憶されたＣＱＩのうちの少なくとも１つを使用する、Ｃ１に記載の方法。
[Ｃ２０]
前記ＵＥは、前記ＣＱＩを決定する間の前記ＵＥのアクティブな受信アンテナが、前記ＣＱＩが決定されることとなるアンテナサブセットを備える場合、現在のチャネル推定値または現在のＣＱＩのうちの少なくとも１つを使用する、Ｃ１に記載の方法。
[Ｃ２１]
前記基地局で適用されるバックオフを補償するために前記ＣＱＩを調整することをさらに備える、Ｃ１に記載の方法。
[Ｃ２２]
前記ＣＱＩを調整することは、
前記第１のセット内のアンテナの数が前記０本以上のアンテナからなる少なくとも１つの第２のセットのものよりも少ない場合、前記ＣＱＩをより高いＣＱＩ値へと調整することを備える、Ｃ２１に記載の方法。
[Ｃ２３]
前記ＣＱＩを調整することは、
前記第１のセット内のアンテナの数が前記０本以上のアンテナからなる少なくとも１つの第２のセットのものよりも多い場合、前記ＣＱＩをより低いＣＱＩ値へと調整することを備える、Ｃ２１に記載の方法。
[Ｃ２４]
性能全体を最適化するために、ＣＱＩ報告期間またはＣＱＩサブフレームセットのうちの少なくとも１つと揃うように、前記アンテナの前記切替をスケジューリングすることをさらに備える、Ｃ１に記載の方法。
[Ｃ２５]
前記ＵＥが、前記ＣＱＩサブフレームセットの間、１本以上のアンテナからなる１つのセットだけを使用するように、前記アンテナの前記切替をスケジューリングすることをさらに備える、Ｃ１に記載の方法。
[Ｃ２６]
前記第１のＲＡＴは、ロングタームエボリューション（ＬＴＥ）を備える、Ｃ２に記載の方法。
[Ｃ２７]
前記第２のＲＡＴは、無線ローカルエリアネットワーク（ＷＬＡＮ）を備える、Ｃ２６に記載の方法。
[Ｃ２８]
特定の基準を最適化するために、デューティサイクルと併せて、前記ＵＥにおける前記０本以上のアンテナからなる少なくとも１つの第２のセットを選択することをさらに備える、Ｃ１に記載の方法。
[Ｃ２９]
前記基準は、少なくとも第１および第２の無線アクセス技術（ＲＡＴ）についてスループットの最小値を最大にすることを備える、Ｃ２８に記載の方法。
[Ｃ３０]
前記基準は、少なくとも第１および第２の無線アクセス技術（ＲＡＴ）についてスループットの合計を最大にすることを備える、Ｃ２８に記載の方法。
[Ｃ３１]
特定のＲＡＴに割り振られたアンテナセットは、前記ＲＡＴのトラフィックのタイプに部分的に基づく、Ｃ１に記載の方法。
[Ｃ３２]
ロングタームエボリューション（ＬＴＥ）に使用されているアンテナについての前記第２のＲＡＴに対する測定は、物理ダウンリンク制御チャネル（ＰＤＣＣＨ）がひとつも復号されないサブフレームの物理ダウンリンク共有チャネル（ＰＤＳＣＨ）部分で実行される、Ｃ２に記載の方法。
[Ｃ３３]
ユーザ機器（ＵＥ）による無線通信の装置であって、
前記ＵＥによって使用される０本以上のアンテナからなる少なくとも第１のセットから０本以上のアンテナからなる少なくとも１つの第２のセットへの切替をスケジューリングするための手段と、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定するための手段と、
前記ＣＱＩを前記基地局に送信するための手段と
を備える装置。
[Ｃ３４]
前記０本以上のアンテナからなる第１のセットは、第１の無線アクセス技術（ＲＡＴ）での通信のために前記ＵＥによって使用され、前記第２のセットは、当初第２のＲＡＴでの通信向けに構成されている前記第１のＲＡＴのための少なくとも１本の追加のアンテナを備える、Ｃ３３に記載の装置。
[Ｃ３５]
前記第２のセットは、前記第１のセットよりも１本以上少ない数のアンテナを備える、Ｃ３３に記載の装置。
[Ｃ３６]
前記報告されたＣＱＩに対応する前記ＣＱＩサブフレームセットを定義するための手段をさらに備え、前記ＣＱＩサブフレームセットの長さは、前記基地局でのＣＱＩ受信インターバルに対応する、Ｃ３３に記載の装置。
[Ｃ３７]
前記基地局での前記ＣＱＩ受信インターバルは、前記ＵＥから２つの連続したＣＱＩ報告を受信する間の時間期間である、Ｃ３６に記載の装置。
[Ｃ３８]
前記ＣＱＩサブフレームセットは、前記ＵＥからの前記ＣＱＩの前記送信から、前記ＣＱＩに基づいて基地局が送信レートを調節するまでの間のフィードバック時間遅延に基づいて定義される、Ｃ３３に記載の装置。
[Ｃ３９]
前記フィードバック時間遅延は、前記基地局への送信時間、前記基地局で前記ＣＱＩを復号するための時間、および前記基地局で前記ＣＱＩに基づいてレートを調節するための時間を備える、Ｃ３８に記載の装置。
[Ｃ４０]
前記ＵＥは、前記フィードバック時間遅延を、前記ＣＱＩの送信の時間と、前記基地局から受信されたデータの変調およびコード化スキーム（ＭＣＳ）が大幅に変化した時間とに基づいて決定する、Ｃ３８に記載の装置。
[Ｃ４１]
前記ＵＥは、前記フィードバック遅延に対して一定の定数を使用する、Ｃ３８に記載の装置。
[Ｃ４２]
前記ＵＥから報告されるべき前記ＣＱＩは、前記ＣＱＩサブフレームセットの間使用される各アンテナセットについてのＣＱＩと、前記アンテナセットが使用される前記ＣＱＩサブフレームセット内のサブフレームの数との関数として決定される、Ｃ３３に記載の装置。
[Ｃ４３]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも大きい場合、前記１本以上のアンテナからなる第１のセットに関連付けられたＣＱＩ値を備える、Ｃ４２に記載の装置。
[Ｃ４４]
前記ＣＱＩは、１本以上のアンテナからなる第１のセットを使用する前記ＣＱＩサブフレームセット内のサブフレームの数と、１本以上のアンテナからなる第２のセットを使用するサブフレームの数との間の比が設定可能な閾値よりも小さい場合、前記１本以上のアンテナからなる第２のセットに関連付けられたＣＱＩを備える、Ｃ４２に記載の装置。
[Ｃ４５]
前記ＵＥから報告されるべき前記ＣＱＩは、前記ＣＱＩサブフレームセットの間使用される各アンテナセットについてのＣＱＩの最小値である、Ｃ３３に記載の装置。
[Ｃ４６]
前記ＵＥから報告されるべき前記ＣＱＩは、前記ＣＱＩサブフレームセットの間使用される各アンテナセットについてのＣＱＩの最大値である、Ｃ３３に記載の装置。
[Ｃ４７]
前記ＵＥから報告されるべき前記ＣＱＩは、前記ＣＱＩサブフレームセットの間使用される各アンテナセットについてのＣＱＩの平均値である、Ｃ３３に記載の装置。
[Ｃ４８]
前記ＣＱＩは、前記ＵＥと前記基地局との間のトラフィックのサービス品質（ＱＯＳ）の関数として決定される、Ｃ３３に記載の装置。
[Ｃ４９]
前記ＣＱＩは、以前のＣＱＩ決定からの記憶されたＣＱＩ値を備える、Ｃ３３に記載の装置。
[Ｃ５０]
前記ＣＱＩは、以前のＣＱＩ決定からの記憶されたＣＱＩ値およびオフセットを備える、Ｃ３３に記載の装置。
[Ｃ５１]
前記ＵＥは、前記ＣＱＩを決定する間の前記ＵＥにおけるアクティブな受信アンテナの数が前記ＣＱＩを決定するのに必要とされるものとは異なる場合、アンテナのサブセットについての記憶されたチャネル推定値または記憶されたＣＱＩのうちの少なくとも１つを使用する、Ｃ３３に記載の装置。
[Ｃ５２]
前記ＵＥは、前記ＣＱＩを決定する間の前記ＵＥにおけるアクティブな受信アンテナが、前記ＣＱＩが決定されることとなるアンテナサブセットを備える場合、現在のチャネル推定値または現在のＣＱＩのうちの少なくとも１つを使用する、Ｃ３３に記載の装置。
[Ｃ５３]
前記基地局で適用されるバックオフを補償するために前記ＣＱＩを調整するための手段
をさらに備える、Ｃ３３に記載の装置。
[Ｃ５４]
前記ＣＱＩを調整するための手段は、
前記第１のセット内のアンテナの数が前記０本以上のアンテナからなる少なくとも１つの第２のセットのものよりも少ない場合、前記ＣＱＩをより高いＣＱＩ値へと調整する  ように構成される、Ｃ５３に記載の装置。
[Ｃ５５]
前記ＣＱＩを調整するための手段は、
前記第１のセット内のアンテナの数が前記０本以上のアンテナからなる少なくとも１つの第２のセットのものよりも多い場合、前記ＣＱＩをより低いＣＱＩ値へと調整するように構成される、Ｃ５３に記載の装置。
[Ｃ５６]
性能全体を最適化するために、ＣＱＩ報告期間またはＣＱＩサブフレームセットのうちの少なくとも１つと揃うように前記アンテナの前記切替をスケジューリングするための手段をさらに備える、Ｃ３３に記載の装置。
[Ｃ５７]
前記ＵＥが、前記ＣＱＩサブフレームセットの間、１本以上のアンテナからなる１つのセットだけを使用するように、前記アンテナの前記切替をスケジューリングすることをさらに備える、Ｃ３３に記載の装置。
[Ｃ５８]
前記第１のＲＡＴは、ロングタームエボリューション（ＬＴＥ）を備える、Ｃ３４に記載の装置。
[Ｃ５９]
前記第２のＲＡＴは、無線ローカルエリアネットワーク（ＷＬＡＮ）を備える、Ｃ５８に記載の装置。
[Ｃ６０]
特定の基準を最適化するために、デューティサイクルと併せて、前記ＵＥにおける前記０本以上のアンテナからなる少なくとも１つの第２のセットを選択するための手段をさらに備える、Ｃ３３に記載の装置。
[Ｃ６１]
前記基準は、少なくとも第１および第２の無線アクセス技術（ＲＡＴ）についてのスループットの最小値を最大にすることを備える、Ｃ６０に記載の装置。
[Ｃ６２]
前記基準は、少なくとも第１および第２の無線アクセス技術（ＲＡＴ）についてのスループットの合計を最大にすることを備える、Ｃ６０に記載の装置。
[Ｃ６３]
特定のＲＡＴに割り振られたアンテナセットは、前記ＲＡＴのトラフィックのタイプに部分的に基づく、Ｃ３３に記載の装置。
[Ｃ６４]
ロングタームエボリューション（ＬＴＥ）に使用されているアンテナについての前記第２のＲＡＴに対する測定は、物理ダウンリンク制御チャネル（ＰＤＣＣＨ）がひとつも復号されないサブフレームの物理ダウンリンク共有チャネル（ＰＤＳＣＨ）部分で行われる、Ｃ３４に記載の装置。
[Ｃ６５]
ユーザ機器（ＵＥ）による無線通信の装置であって、
前記ＵＥによって使用される０本以上のアンテナからなる少なくとも第１のセットから０本以上のアンテナからなる少なくとも１つの第２のセットへの切替をスケジューリングすることと、ここにおいて、前記第１および第２のセットは、少なくとも１本のアンテナが異なる、
後続のチャネル品質インジケータ（ＣＱＩ）サブフレームセットにおける基地局での使用のために、前記ＵＥから報告されるべきＣＱＩを、前記スケジューリングされた切替に基づいて決定することと、
前記ＣＱＩを前記基地局に送信することと
を行うように構成された少なくとも１つのプロセッサと、
前記少なくとも１つのプロセッサに結合されたメモリと
を備える装置。
[Ｃ６６]
ユーザ機器（ＵＥ）による無線通信のためのコンピュータプログラム製品であって、
コンピュータ可読媒体を備え、前記コンピュータ可読媒体は、
前記ＵＥによって使用される０本以上のアンテナからなる少なくとも第１のセットから０本以上のアンテナからなる少なくとも１つの第２のセットへの切替をスケジューリングし、ここにおいて、前記第１および第２のセットは、少なくとも１本のアンテナが異なる、
後続のチャネル品質インジケータ（ＣＱＩ）サブフレームセットにおいて基地局で使用するための、前記ＵＥから報告されるべきＣＱＩを、前記スケジューリングされた切替に基づいて決定し、
前記ＣＱＩを前記基地局に送信するためのコードを備える、コンピュータプログラム製品。